(57)【要約】【課題】同一の画面上に異なる画像を時分割で表示し、それら画像のクロストークを減らしつつ、画像を認識できる装置を提供する。【解決手段】第１の画像と第２の画像が時分割で同一画面上に表示される表示装置があって、それら画像を第１及び第２の液晶シャッターを用いて観察するとき、第１及び第２の液晶シャッターの両方とも閉の状態となる時間を設ける。液晶シャッターの両方が閉となる時間を設けることで、クロストークを減らすことができる。【選択図】図１
2010277097.tif 000002
【特許請求の範囲】
【請求項１】
第１の画像と第２の画像が同一画面上に時分割表示される表示装置と、
第１の液晶シャッターと、
第２の液晶シャッターと、を有し、
前記第１の液晶シャッターは、前記第１の画像が表示されるタイミングに合わせて開の状態となり、前記第１の画像を選択的に透過し、
前記第２の液晶シャッターは、前記第２の画像が表示されるタイミングに合わせて開の状態となり、前記第２の画像を選択的に透過し、
前記第１の液晶シャッターと前記第２の液晶シャッターとが、両方とも閉の状態となる時間があることを特徴とする装置。
【請求項２】
第１の画像と第２の画像が同一画面上に時分割表示される表示装置と、
第１の光学シャッターと、
第２の光学シャッターと、を有し、
前記第１の光学シャッターは、前記第１の画像が表示されるタイミングに合わせて開の状態となり、前記第１の画像を選択的に透過し、
前記第２の光学シャッターは、前記第２の画像が表示されるタイミングに合わせて開の状態となり、前記第２の画像を選択的に透過し、
前記第１の光学シャッターと前記第２の光学シャッターとが、両方とも閉の状態となる時間があることを特徴とする装置。
【請求項３】
第１の画像と第２の画像が同一画面上に時分割表示される表示装置と、
第１の液晶シャッターまたは第１の光学シャッターと、
第２の液晶シャッターまたは第２の光学シャッターと、を有し、
前記第１の液晶シャッターまたは前記第１の光学シャッターは、前記第１の画像が表示されるタイミングに合わせて開の状態となり、前記第１の画像を選択的に透過し、
前記第２の液晶シャッターまたは前記第２の光学シャッターは、前記第２の画像が表示されるタイミングに合わせて開の状態となり、前記第２の画像を選択的に透過し、
前記第１の画像と前記第２の画像が観察者に対して観察されない時間があることを特徴とする装置。
【請求項４】
請求項１または請求項３において、前記第１及び前記第２の液晶シャッターは眼鏡であることを特徴とする装置。
【請求項５】
請求項１、３または４において、制御装置を有し、前記第１及び前記第２の液晶シャッターは、前記制御装置によって開閉状態を制御されることを特徴とする装置。
【請求項６】
請求項２または請求項３において、前記第１及び前記第２の光学シャッターは眼鏡であることを特徴とする装置。
【請求項７】
請求項２、３または６において、制御装置を有し、前記第１及び前記第２の光学シャッターは、前記制御装置によって開閉状態を制御されることを特徴とする装置。
【請求項８】
請求項５または請求項７において、前記制御装置は前記表示装置と接続されることを特徴とする装置。
【請求項９】
請求項１乃至請求項８のいずれか一において、前記第１の画像と前記第２の画像は異なることを特徴とする装置。
【発明の詳細な説明】
【技術分野】
【０００１】
本明細書で開示する発明は、各種情報を表示する表示装置に関する。特に複数の観察者
によりそれぞれ異なる画像を認識することができる表示装置に関する。例えば、同一の画
面において表示される複数の画像を複数の観察者により、それぞれ独立に見ることができ
る表示装置に関する。また、複数の画像が同時に表示されている中から特定の情報のみを
選択的に認識する装置に関する。また、特定の情報のみを選択的に見ることができる装置
に関する。またそのようは表示方式に関する。
【背景技術】
【０００２】
従来より、同一の画面上に異なる画像を表示する技術が知られている。例えば、一つの
画面を分割して、複数のテレビ番組を同時に表示する方法や、一つの画面上に複数の画像
を重ねて表示する方法が知られている。
【０００３】
前者の方法は、個々の画像が独立して表示されるので、比較的容易に同時に多数の番組
や画像を見ることができる。しかし、後者の方法は、複数の画像が重なってしまうので、
非常に見にくいものとなってしまう問題がある。
【０００４】
またどちらの方法においても複数の画像が同時に表示されてしまうので、見る側の方で
見る対象を選択しなければならない。
【０００５】
このことは、複数の異なる画面を複数人で同時に見ようとする場合に問題となる。例え
ば、Ａという観察者には見えて、Ｂという観察者には見えない画像を表示するような場合
には、上述の方法は利用することができない。
【発明の概要】
【発明が解決しようとする課題】
【０００６】
本明細書で開示する発明は、同一の画面上に表示される異なる画像を複数の観察者が独
立に見ることができる構成を提供することを課題とする。即ち、同一の画面上に表示され
た画像を別々に選択して見ることができる構成に関する。
【課題を解決するための手段】
【０００７】
本明細書で開示する発明の一つは、図１にその具体的な例を示すように、
複数の観察者のそれぞれが異なる画像を見ることができる表示装置であって、
同一の画面上に異なる複数の画像を表示する手段１１と、
前記複数の画像を観察者毎に選択する手段１３と１４と、
を有することを特徴とする。
【０００８】
上記構成は表示装置１１に表示される時分割された２つの画像を光学シャッターを備え
た眼鏡１３と１４でもって見ることにより、所定の画像だけを選択的に見ることができる
ものである。
【０００９】
図１には、２つの画像を個別に見る場合の例が示されているが、時分割をさらに多くす
れば、さらに多くの画像を個別に見ることができる。図１に示す構成は、１３または１４
で示される眼鏡のシャッターのタイミングを変えることで、所望の画像を見ることができ
る。また、複数人で同一のタイミングを有するシャッターを用いれば、同一の画像を複数
人で同時に見ることができる。
【００１０】
他の発明の構成は、図１にその具体的な例を示すように、
複数の観察者のそれぞれが異なる画像を見ることができる表示装置であって、
同一の画面上に異なる複数の画像を時間的に分割して表示する手段１１と、
光学シャッターを備えた手段１３及び／または１４と、
を有し、
前記光学シャッターを備えた手段１３及び／または１４において、前記分割タイミング
に合わせて前記光学シャッターを開閉させ前記時間的に分割された画像の一つを選択的に
透過させることを特徴とする。
【００１１】
上記構成においては、光学シャッターを備えた手段である眼鏡（例えば１３で示される
）を適時選択することにより、必要とする画像のみを選択的に認識することができる。例
えば、複数人で同じ画面を見ている状態において、特定の人だけが特定の画像を見たり、
特定の人だけが特定の画像を見ることができない状態を実現することができる。
【００１２】
他の発明の構成は、図３にその具体的な例を示すように、
複数の観察者のそれぞれが異なる画像を見ることができる表示装置であって、
同一の画面上に異なる複数の画像を時間的に分割して表示する手段（図ではＣＲＴ）と
、
前記分割された画像の少なくとも一つに異なる偏光状態を与える手段（図では偏光板と
πセルと１／４波長板とで構成される手段又はπセルで構成される手段）と、
を有していることを特徴とする。
【００１３】
上記構成は、複数（２つ以上であってもよい）の画像を時分割して表示し、その画像の
一つに対して特定の偏光状態を与え、その偏光状態を選択的に透過するフィルターを用い
ることによって、先の画像の一つを選択的に認識する装置である。
【００１４】
例えば図３に示す構成においては、ＣＲＴからの時分割された２つの像は偏光板と１／
４波長板によって左回り偏光または右回り偏光になっている。そこでπセルを用いてさら
に時分割された特定の画像に対して特定の偏光状態を与え、その偏光状態を右回り円偏光
状態とする。ここで、右回り円偏光眼鏡と左回り円偏光眼鏡とを用いることによって、２
つの画像を選択的に見ることができる。
【００１５】
他の発明の構成は、図５にその具体的な構成を示すように、
複数の観察者のそれぞれが異なる画像を見ることができる表示装置であって、
同一の画面５０５上に異なる偏光状態を有する２つの画像を表示する手段５０１と５０
２と、
前記異なる偏光状態の画像を前記複数の観察者に対応させてそれぞれ選択的に透過する
手段５０６と５０７と、
を有していることを特徴とする。
【００１６】
図５に示す構成は、投影装置（例えば液晶プロジェクター）５０１と５０２とから投影
される２つの画像をそれぞれ異なる偏光方向を有した偏光板５０３と５０４を介して画面
（スクリーン）５０５上に投影する。そして、それを偏光板５０３と同じ偏光方向を有し
た偏光板を備えた眼鏡５０６と偏光板５０４と同じ偏光方向を有した偏光板を備えた眼鏡
５０７とで見る。すると眼鏡５０６を通しては５０１から投影される表示を選択的に見る
ことができる。また、眼鏡５０７を通しては５０２から投影される表示を選択的に見るこ
とができる。
【００１７】
このように、眼鏡５０６を掛けた人と眼鏡５０７を掛けた人とは、異なる画像を独立に
見ることができる。
【００１８】
他の発明の構成は、図８〜図１０にその原理を示すように、
レンチキュラーレンズまたはパララックスバリアを用いて視点によって異なる画像を表
示する装置であって、
異なる画像を構成する表示データと表示データとの間に表示が行われない非表示領域ま
たは所定の背景色の表示を行う領域を配置することを特徴とする。
【００１９】
上記構成において、表示データは、画素または画像を構成する最小単位の表示として定
義される。
【００２０】
他の発明の構成は、図２にその動作タイミングを示すように、
時分割された複数の画像が表示された画面を前記時分割のタイミングに合わせたタイミ
ングで間欠的に見ることにより、前記複数の画像の一つを選択的に認識することを特徴と
する。
【００２１】
即ち、図２に示すようにＡ0,Ａ1 ・・・で構成されるＡの画像とＢ0,Ｂ1 ・・・で構成
されるＢの画像とを時分割表示した状態において、光学シャターによって、一方の観察者
にはＡ0,Ａ1 ・・・で構成されるＡの画像を認識させ、他方の観察者にはＢ0,Ｂ1 ・・・
で構成されるＢの画像を認識させる。
【００２２】
間欠的に見る手段としては、できるだけ応答速度の速い光学的なシャッターを利用する
ことが好ましい。また、連続的な画像として認識を行わせるために、間欠的に見るタイミ
ングの設定に際しては残像が残っている時間を考慮する必要がある。また、異なる画像の
クロストークを減らすためにどの画像も見えない時間を設けることが好ましい。即ち、複
数の光学シャッターが全て閉となっている時間を設けることが好ましい。
【００２３】
他の発明の構成は、図５にその具体的な例を示すように、
偏光状態の異なる複数の画像が表示された画面５０５を偏光状態のそれぞれ異なる複数
の偏光フィルタ５０７と５０６を介して見ることにより、前記複数の画像を個別に認識す
ることを特徴とする。
【００２４】
図５に示す構成においては、偏光フィルタとして眼鏡タイプのものを利用している。し
かし他の構成として、図１２の１２０３や１２０４で示すように目の前に偏光フィルタを
スクリーンのようにして配置する構成を採用してもよい。
【００２５】
他の発明の構成は、図５にその具体的な例を示すように、
所定の偏光状態を有する画像を含む複数の画像が表示された画面５０５を前記所定の偏
光状態を選択的に透過するフィルター５０６または５０７を介して見ることにより、前記
所定の偏光状態を有する画像のみを選択的に認識することを特徴とする。
【００２６】
（作用）  
時間的に分割して異なる画像を同一の画面上に表示させ、光学的なシャッターを利用し
てこの異なる画像を適時選択することにより、複数の観察者のそれぞれにおいて異なる画
像を選択することができる。そして、複数の観察者によって異なる画像を同時に見ること
ができる。また複数の画像を時間的に偏光状態を変えて分割して表示し、それぞれ特定の
偏光状態を透過するフィルターを介して観察することにより、それぞれの画像を選択的に
見ることができる。
【００２７】
また、偏光状態が異なる２つの画像を同一の画面上に表示させ、この画像をそれぞれ異
なる偏光状態を選択的に透過する光学手段を利用して見ることによって、観察者によって
異なる画像を見ることができる。即ち、同一の画面上に表示される画像を複数の観察者に
よって同時に独立に見ることができる。
【００２８】
また、レンチキュラースクリーンを用いて複数の画像を分離して表示することによって
、複数の観察者によって異なる画像を独立に見ることができる。
【００２９】
また、パララックスバリアを用いて複数の画像を分離して表示することによって、複数
の観察者によって異なる画像を独立に見ることができる。
【００３０】
このように同一の画面に複数の画像を同時に表示させ、それらの画像を
・時間的に分割した方法
・偏光状態を利用した方法
・レンチキュラースクリーンやパララックスバリアを用いた方法
を用いることによって分離して独立に見ることができる。
【００３１】
このことを利用することで、同一の画面上に複数の観察者のそれぞれにとって、異なる
画像を表示することが可能となる。
【００３２】
また以上のような構成は、複数の観察者の中の特定の人だけに情報を提供することに利
用することもできる。このような構成は、各種情報表示手段、遊戯装置、教育や学習を行
う装置等に利用することができる。すなわち、見る人によって異なる画像を見ることがで
きることを利用して、各種情報や画像を複数の観察者に対して選択的に提供する用途に利
用することができる。
【発明の効果】
【００３３】
表示タイミングの違い、偏光状態の違い、視点の位置の違いを利用して、同一の画面に
表示された複数の画像をそれぞれ独立に見ることができる。このような構成は、同一の画
面を利用して同時に複数の情報提供を行う手段、特定の人や方向に選択的に情報を提供す
る手段、遊戯装置、複数の画像情報を複数人で独立に見る手段、等々に利用することがで
きる。
【００３４】
即ち、従来は画像が表示される表示画面が複数必要であった方法において、表示画面を
一つとすることができる。そしてこのことにより、表示画面を大面積化することができ、
また全体の構成を簡略化することができる。
【図面の簡単な説明】
【００３５】
【図１】時分割表示を利用して同時に複数人で異なる画像を見ることができる表示装置の概要を示す図。
【図２】図１に示す構成を動作させる際における動作タイミングチャートの例を示す図。
【図３】時分割表示により偏光状態を変えることにより、同時に複数人で異なる画像を見ることができる表示装置の概要を示す図。
【図４】図３に示す構成を動作させる際における動作タイミングチャートの例を示す図。
【図５】偏光状態の違いを利用して同時に複数人で異なる画像を見ることができる表示装置の概要を示す図。
【図６】図５に示す構成を動作させる際における動作タイミングチャートの例を示す図。
【図７】図５に示す構成の電気的な構成を示すブロック図。
【図８】レンチキュラーレンズを用いて、同時に複数人で異なる画像を見る場合の原理図。
【図９】レンチキュラーレンズを用いて複数の画像の表示を行う場合の例を示す図。
【図１０】パララックスバリアを用いて複数の画像の表示を行う場合の例を示す図。
【図１１】レンチキュラーレンズまたはパララックスバリアを用いて複数の画像の表示を行う構成の概略を示す図。
【図１２】異なる偏光状態を利用して複数の画像の表示を行う構成の概略を示す図。
【図１３】図１２に示す装置を利用した遊戯装置の画面に表示される画像の例を示す図。
【図１４】画像を形成するための集積化されたアクティブマトリクス型の液晶パネルの概略の構成を示す。
【図１５】図１４に示す液晶パネルを用いた投影型の表示装置の概略の構成を示す図。
【実施例１】
【００３６】
本実施例は、複数の画像を時間的に分割して同一画面上に表示し、光学シャッターを用
いてその中の一つを選択して見ることにより、複数の観察者によって独立に異なる画像を
見ることができる構成に関する。
【００３７】
図１に本実施例の構成の概略を示す。図１に示す構成は、ディスプレイ１１の画面に時
分割表示される画像を液晶シャッターを備えた眼鏡１３と１４を用いて見ることにより、
それぞれの眼鏡を使用した観察者がそれぞれ異なる画像を見ることができる構成に関する
。
【００３８】
図２に図１に示す構成を動作させる場合に利用される動作タイミングチャートを示す。
図２に示されるように表示画面である画面１１には、１フレームおきにＡの画像とＢの画
像が交互に表示される。
【００３９】
あるレベル以上の画質を維持するためには、１フレームの時間を１／６０(s) 以下とす
ることが好ましい。
【００４０】
この画面を直接見たのでは、Ａの画像とＢの画像とが重なりあって見えてしまう。そこ
で、図１に示す構成においては、表示タイミングに合わせて透過−非透過が選択される液
晶シャッターを備えた眼鏡１３と１４を用いることにより、それぞれの眼鏡を掛けている
観察者において、Ａの画像とＢの画像とが分離して見えるようにする。なお、各眼鏡の液
晶シャッターは制御装置１２によって画面の表示状況に合わせて適時制御される。また図
２ではそうなっていないが、シャッターの開閉時間は１フレームの表示時間よりも短い方
が好ましい。
【００４１】
図２に示すように、Ａ0 の表示が行われている時にはＡ眼鏡１３の液晶シャッターが開
となり、Ａ眼鏡を掛けた人にはＡ0 の表示が見える。またこの時Ｂ眼鏡１４の液晶シャッ
ターは閉の状態になるので、Ｂ眼鏡を掛けた人にはＡ0 の表示は見えない。
【００４２】
逆に次のフレームのＢ0 の表示が行われている時にはＢ眼鏡１４の液晶シャッターが開
となり、Ｂ眼鏡を掛けた人にはＢ0 の表示が見える。またこの時Ａ眼鏡１３の液晶シャッ
ターは閉の状態になるので、Ａ眼鏡を掛けた人にはＢ0 の表示は見えない。
【００４３】
このようにして交互にＡとＢの表示を行い、そのつどＡ眼鏡とＢ眼鏡の液晶シャッター
を開と閉に交互に切り換える。こうすると、Ａ眼鏡１３を掛けた人にはＡ0,Ａ1,Ａ2,Ａ3 
・・・・で示される画像が選択的に見え、Ｂ眼鏡１４を掛けた人にはＢ0,Ｂ1,Ｂ2,Ｂ3 ・
・・・で示される画像が選択的に見える状況とすることができる。
【００４４】
こうして同じ画面１１を見ていながら、眼鏡Ａ１３を掛けた人と眼鏡Ｂ１４とを掛けた
人とで異なる画像を見ることができる。
【実施例２】
【００４５】
本実施例は、時分割で偏光状態が右回り円偏光の画像と左回り円偏光の画像とを切り換
えて表示し、その画像を右回り円偏光を透過する眼鏡（右回り円偏光眼鏡）と左回り円偏
光を透過する眼鏡（左回り円偏光眼鏡）とで見ることによって、右回り円偏光眼鏡では右
回り円偏光の画像を選択的に認識し、左回り円偏光眼鏡では左回り円偏光の画像を選択的
に認識することを特徴とする。
【００４６】
図３に本実施例に示す構成の具体的な構成の一例を示す。図３に示す構成においては、
ＣＲＴで形成される画像を図４に示すように時分割表示する。図４に示すタイミングにお
いては、１／６０秒の間に表示される１フレームの表示が交互に行われる。なお、１フレ
ームの長さは１／６０秒以下とすることが高画質を維持するためには好ましい。
【００４７】
このＣＲＴ上の表示タイミングに同期させてπセルを動作させる。πセルは、素子ドラ
イバーによって駆動され、ドライバー出力がＯＮの状態で入射した直線偏光光を直接透過
させる。またドライバー出力がＯＦＦの状態で透過光の偏光状態を９０°回転させる。こ
の偏光状態を９０°回転させる作用は、液晶の旋光性を利用することで得ることができる
。
【００４８】
πセルを透過する透過光は、πセルがＯＮまたはＯＦＦの状態に従って、互いに９０°
異なる直線偏光状態を有している。そしてこのπセルを透過した光を１／４波長板を透過
させることにより、それぞれ右回り円偏光状態を有する光と左回り円偏光状態を有する光
とに分けることができる。
【００４９】
本実施例の場合は、πセルがＯＦＦの状態で右回り円偏光の透過光が生成され、πセル
がＯＮの状態で左回り円偏光の透過光が生成される状態とする。即ち、１／４波長板を透
過する光は、πセルのＯＮ／ＯＦＦに従って、右回り円偏光の光と左回り円偏光の光とな
る。
【００５０】
この右回り円偏光の光と左回り円偏光の光とは、時分割表示によって、1/60秒毎に交互
に映し出される。図３に示す構成においては、１／４波長板に右回り円偏光の光と左回り
円偏光の光とが交互に映し出されることになる。
【００５１】
この映し出された画像を右回り円偏光眼鏡と左回り円偏光眼鏡とで見ると、右回り円偏
光の光は右回り円偏光眼鏡で選択的に見ることができる。また、左回り円偏光眼鏡は左回
り円偏光眼鏡で選択的に見ることができる。
【００５２】
即ち、図４に示すように右回り円偏光眼鏡を掛けた人には、Ａ0,Ａ1,Ａ2 ・・・・のフ
レームのみが見えて、Ａの画像が選択的に見える状態となる。また、左回り円偏光眼鏡を
掛けた人には、Ｂ0,Ｂ1,Ｂ2 ・・・・のフレームのみが見えて、Ｂの画像が選択的に見え
る状態となる。
【００５３】
本実施例に示す構成においては、図１に示す構成のように特殊な素子を備えた眼鏡を利
用する必要がないので、画像を見る人の負担を低いものとできる。また画像を見る状況の
自由度を高くすることができる。
【実施例３】
【００５４】
本実施例は、偏光状態の異なる２つの画像を合成して投影し、この投影像をそれぞれの
偏光光を選択的に透過させる眼鏡を用いて見ることにより、２つの画像をそれぞれの眼鏡
を掛けた人によって選択的に見ることを特徴とする。
【００５５】
図５に本実施例で示す構成の概略を示す。図５に示すのは２つの液晶プロジェクター５
０１と５０２によってそれぞれ異なる画像を画面であるスクリーン５０５上に重ねて投影
し、その投影像を偏光眼鏡５０６と５０７とでもって見る構成である。
【００５６】
液晶プロジェクター５０１から投影される画像は、偏光板５０３を介してスクリーン５
０５に投影される。偏光板５０３は垂直方向に偏光方向を有する直線偏光を透過させる機
能を有している。従って、スクリーン５０５にプロジェクター５０１から投影される画像
は、垂直方向の直線偏光を有している。
【００５７】
一方、液晶プロジェクター５０２から投影される画像は、偏光板５０４を介してスクリ
ーン５０５に投影される。偏光板５０４は水平方向に偏光方向を有する直線偏光を透過さ
せる機能を有している。従って、スクリーン５０５にプロジェクター５０２から投影され
る画像は、水平方向の直線偏光を有している。
【００５８】
また偏光眼鏡５０６は垂直方向の直線偏光を透過させる機能を有している。また、偏光
眼鏡５０７は水平方向の直線偏光を透過させる機能を有している。
【００５９】
従って、眼鏡５０６を介してスクリーンを見ることによって、プロジェクター５０１か
らスクリーン５０５に投影された画像を選択的に見ることができる。即ち、プロジェクタ
ー５０２からの画像を見ずにプロジェクター５０１からの画像を見ることができる。
【００６０】
また、眼鏡５０７を介してスクリーンを見ることによって、プロジェクター５０２から
スクリーン５０５に投影された画像を選択的に見ることができる。即ち、プロジェクター
５０１からの画像を見ずにプロジェクター５０２からの画像を見ることができる。
【００６１】
即ち、眼鏡５０６は垂直方向の直線偏光を透過させるが、水平方向の直線偏光は透過さ
せない機能を有しているので、５０１から投影された画像は見ることができるが、５０２
から投影された画像は見ることができない。
【００６２】
一方、眼鏡５０７は水平方向の直線偏光を透過させるが、垂直方向の直線偏光は透過さ
せない機能を有しているので、５０２から投影された画像は見ることができるが、５０１
から投影された画像は見ることができない。
【００６３】
このようにして、眼鏡５０６を掛けた人と眼鏡５０７を掛けた人とは、それぞれ異なる
画像を見ることができる。    
【００６４】
図６に図５に示す構成を動作させるためのタイミングチャートを示す。図６において、
プロジェクター５０１から投影される画像の１フレームはＡi（ｉは０を含む自然数）で
示される。また、プロジェクター５０２から投影される画像の１フレームはＢj（ｊは０
を含む自然数）で示される。
【００６５】
一般的な画質を維持するためには、一つのフレームの長さを１／３０(s) 以下とするこ
とが好ましい。
【００６６】
２つの画像のフレームは同時に重ね合わせられて投影される。そして２つのプロジェク
ターから投影された２つの画像をＡ眼鏡観察者とＢ眼鏡観察者とで個別なものとして観察
することができる。
【００６７】
図７に図５に示す構成のブロック図を示す。図５に示すように、本実施例に示す構成は
、何も特別な画像ではなく、通常のＴＶ画像やビデオ画像を利用することができる。
【実施例４】
【００６８】
本実施例はレンチキュラーレンズ（レンチキュラースクリーン）を用いて複数の観察者
が同時に異なる画像を見る構成に関する。図８に本実施例の原理図を示す。レンチキュラ
ーレンズを用いると、視点を異ならせることにより、異なる画像を見ることができる。
【００６９】
例えば、ａ' の視点からはスクリーンのａ点に結像した画像を認識できるが、他の画像
は認識できない。（当然クロストークは存在するので完全に見えないわけではない）
【００７０】
図に示す構成において、例えばa,b にＡの表示データを与え、c,d にＢの表示データを
与え、e,f にＣの表示データを与え、g,h にＤの表示データを与えることにより、異なる
視点の位置で異なる４つの画像を見ることができる。なおここでいうａやｂというのは、
特定の領域または画素のことをいう。
【００７１】
また、a,b,c,d にＡの表示データを与え、d,e,f,g にＢの表示データを与えることによ
って、異なる視点で異なる２つの画像を見ることができる。
【００７２】
本実施例のレンチキュラーレンズを用いた方法は、視点の位置によって異なる画像を認
識させるものである。従って、視点の位置を移動してしまうことで他の画像が見えてしま
うという問題がある。また、例えばａとｂの点に表示される画像を完全に分離することは
困難であるという問題もある。
【００７３】
この問題を緩和させるためには、近傍の画像点（どこか一点に着目した点）に同一の画
像データを与え、多少の視点のズレがあっても異なる画像が観察されないようにし、また
広い範囲で同一の画像が見えるようにすればよい。ただし、多くの画素に同一の画像デー
タを与えると、画像の分解能が低下するので、注意が必要である。
【００７４】
具体的には、図８に示すような状態において、ａ〜ｃには画像Ａの表示データを与え、
ｅ〜ｇには画像Ｂの表示データを与える。このようにすると、スクリーンに向かって右側
では画像Ａの表示データを選択的に見ることができる。即ち、画像Ｂの表示データを見ず
に画像Ａの表示データを選択的に見ることができる。
【００７５】
一方、スクリーンに向かって左側では画像Ｂの表示データを選択的に見ることができる
。即ち、画像Ａの表示データを見ずに画像Ｂの表示データを選択的に見ることができる。
【００７６】
そして、左右に視点をずらしても上記の見え方を維持することができる。即ち、その選
択性な見え方を維持することができる。  
【実施例５】
【００７７】
実施例４に示した方法は、異なる視点からスクリーンを見ることによって、異なる画像
を見ることができ、そのことを利用して、複数人で異なる画像を同時に見ることができる
ものである。
【００７８】
ここでａ〜ｃには画像Ａの表示データを与え、ｅ〜ｇには画像Ｂの表示データを与えた
場合を考える。この場合、視点ｄ’とｅ’とでは、異なる画像が見えなければならない。
しかし、実際には視点ｄ’とｅ’とでは画像が重なったり不鮮明になったりしてしまう。
【００７９】
具体的には、画像Ａと画像Ｂとが同時に見えてしまったり、ちょっとした視点の移動で
画像Ａと画像Ｂとが同時にまたは片方づつ見えたり見えなかったりしてしまう。即ち、画
像Ａと画像Ｂとのクロストークが生じてしまう。
【００８０】
このような現象を抑制するために本実施例では以下に示すような構成を採用する。即ち
、図８に示すような状態において、画像点ｃとｅの間のｄ点に黒あるいは白あるいは適当
な背景色を画像データとして与え、画像が表示されない領域（非表示領域）を設けるので
ある。このようにすると、画像Ａと画像Ｂとのクロストークを低減させることができる。
【００８１】
この画像が表示がされない領域（非表示領域）を設けることによって、異なる画像のク
ロストークを抑制する方法の具体的な例を図９に示す。図９に示すのは、ＬＣＤ（液晶電
界光学装置）を利用して、上記の構成を実現する例である。
【００８２】
表示が白黒であるならば非表示領域は白または黒とする。また表示がカラーであるなら
ば、白または黒の他に適当な背景色を選択することができる。
【００８３】
図において、斜線で示されるのが、非表示領域であって、黒または白または適当な背景
色の表示が行われる領域である。
【００８４】
（Ａ）に示すのは、比較のために示すもので、画像Ａと画像Ｂとでクロストークの発生
してしまう構成である。なお、ＡやＢ等で示される領域は一つの画素であってもよいし、
複数の画素からなる領域であってもよい。
【００８５】
（Ｂ）は、斜線で示される非表示領域を意図的にＬＣＤの所定の領域において形成する
ことによって、ＡとＢとの画素データ同士がクロストークしてしまうことを抑制する構成
である。
【００８６】
（Ｃ）は、（Ｂ）に示す構成をさらに発展させたもので、Ａ〜Ｃで示される画素データ
間のクロストークを抑制する構成である。この場合もそれぞれの画素データ間に非表示領
域を形成することで、それぞれのデータ間のクロストークを減少させることができる。
【００８７】
（Ｂ）や（Ｃ）に示す方法は、ＬＣＤ（液晶表示装置）を利用するので、非表示領域を
任意に形成することができるという特徴を有している。即ち、非表示領域を任意の場所に
任意の範囲でもって形成することができることで、例えばＡとＢという画像データを表示
する場合と、Ａ〜Ｃという画像データを表示する場合とを適時選択することができる。
【００８８】
また、クロストークの度合いを変化させることもできる。例えば、非表示領域の面積を
変化させることで、Ａという画像データとＢという画像データとが混ざり合って表示され
る度合い（視点によってはそのように見えてしまう）を制御することができる。
【００８９】
また、非表示領域を適当に設定することで、視点によって、Ａという画像と、ＡとＢと
の画像が重なりあった画像と、Ｂという画像とをそれぞれ独立に見ることができる。即ち
、画像データとしては２つしかないのに、独立に見ることができる画像を３つとすること
ができる。そしてそれらの画像の見える位置や範囲をＬＣＤを利用することによって設定
（調整）することができる。
【００９０】
また上記（Ｂ）や（Ｃ）に示す構成において、非表示領域を形成するのにＢＭ（ブラッ
クマトリクス）のような物理的な光学遮蔽手段を利用してもよい。ただしこの場合は、非
表示領域が形成される位置が固定され動かすことができないという不便さがある。
【００９１】
（Ｄ）に示すのは、画像形成用のＬＣＤとは別に非表示領域を選択するための光学シャ
ッターをシャッター用ＬＣＤでもって構成する例である。このような構成とすると、シャ
ッター用ＬＣＤのみによって非表示領域を形成することもできるし、シャッター用ＬＣＤ
と画像用ＬＣＤとを組み合わせて非表示領域を形成することもできるので、動作の自由度
を大きくすることができる。
【００９２】
本実施例に示す表示の方法としては、以上説明したようなＬＣＤを用いて直接画像の形
成を行う方法をまず挙げることができる。その他の表示手段としては、投射型の液晶表示
装置を挙げることができる。また、複数の投影型の表示装置を用い、それらからの画像を
重ねる方法を利用してもよい。
【００９３】
図９（Ｂ）〜（Ｄ）に示すような動作を行わせることによって、同時に表示される異な
る画像同士のクロストークを減少させることができる。
【００９４】
また逆に異なる画像同士のクロストークを制御することにより、視点により、２つの像
が重なったものを意図的にまたその位置を制御して表示することができる。
【実施例６】
【００９５】
本実施例は、パララックスバリアを用いることによって、異なる視点から見た場合に表
示面上に複数の異なる画像を見えるようにした例に関する。
【００９６】
この方式は、図１０に示すように所定の間隔で形成したスリット状のアパーチャルグリ
ル（パララックスバリア）を設け、このスリットを介して表示面を見ることによって、視
点の位置により異なる像を見ることができる構成に関する。
【００９７】
例えば図１０に示す構成において、a,b には画像Ａの表示データを与え、d,e には画像
Ｂの表示データを与える。このようにすることでａ’ｂ’の視点でＡの画像を選択的に見
ることができ、ｄ’ｅ’の視点でＢの画像を選択的に見ることができる。
【００９８】
本実施例の構成を採用した場合も視点の位置によっては、異なる画像同士のクロストー
クが発生してしまう。そこで、実施例５に示したような工夫を施すことは有効なこととな
る。
【００９９】
またパララックスバリアとして、液晶を利用した光学シャッターを用いることも有用で
ある。この場合、スリットの幅や位置や間隔を適時設定することができるので、表示する
画像の数や視点の位置を調整することが容易となる。特に視点の位置を制御できることは
その応用上有用なこととなる。
【実施例７】
【０１００】
本実施例は、実施例４に示した構成（図８に示す構成）を利用した遊技装置に関する。
図８に示す遊技装置は、画面（画像の表示面）を見る位置（視点）によって、異なる画像
を見ることができるものである。
【０１０１】
そこで本実施例においては、二人で行う対戦型の格闘ゲームに本明細書で開示する発明
を利用する例を示す。図１１に表示面と二人の遊戯者との位置関係を示す。
【０１０２】
二人の遊戯者１１０１と１１０２とは、液晶プロジェクター１１０４から投影される画
像が表示されるスクリーン１１０３を同時に異なる角度から見ることになる。スクリーン
は１１０３は、実施例４（図８参照）に示すようにレンチキュラーレンズ（レンチキュラ
ースクリーン）となっている。
【０１０３】
そして、遊戯者１１０１と１１０２とで異なる画像を見ることができる構成となってい
る。スクリーン１１０３は許される限り大面積なものとすることが遊戯効果を高めるため
には好ましい。また遊戯者１１０１の視点からの画像と遊戯者１１０２の視点からの画像
とのクロスートークが生じないように表示の仕方と二人の遊戯者との位置関係を決めるこ
とが重要となる。
【０１０４】
図１２に図１１に示す構成とは異なる原理により、図１１に示す構成と同様の効果を得
ることができる構成を示す。図１２に示すのは、異なる偏光状態を有する２つの画像をス
クリーン１２０５上に重ねて投影し、その像をそれぞれの偏光状態を透過するフィルター
１２０３と１２０４を用いて、分離することにより、遊戯者１２０１と１２０２とで異な
る画像を見るものである。
【０１０５】
図１２に示す構成の詳細を以下に説明する。図１２に示す構成においては、液晶プロジ
ェクター１２０８で遊戯者１２０１に見せるための画像を形成し、液晶プロジェクター１
２０９で遊戯者１２０２に見せるための画像を形成する。そして、それらの画像を垂直方
向に直線偏光した光を透過する偏光板１２０６と水平方向に直線偏光した光を透過する偏
光板１２０７に透過させ、スクリーン１２０５上に重ねて投影する。なお、スクリーン１
２０５は普通の投影型の表示装置に利用されるものを用いればよい。
【０１０６】
遊戯者１２０１は、スクリーン１２０５上に重ねて投影された画像を垂直方向に直線偏
光した光を透過する偏光板１２０３を介して見る。一方、遊戯者１２０２は、スクリーン
１２０５上に重ねて投影された画像を水平方向に直線偏光した光を透過する偏光板１２０
４を介して見る。
【０１０７】
この結果、遊戯者１２０１は液晶プロジェクター１２０８から投影される画像のみを選
択的に見ることになる。一方、遊戯者１２０２は液晶プロジェクター１２０９から投影さ
れる画像のみを選択的に見ることになる。このようにして二人の遊戯者は、同一の画面を
見ていながら、それぞれ異なる画像を見ることができる。
【０１０８】
図１３に図１１や図１２に示すような遊戯装置を利用した場合に、それぞれの遊戯者か
ら見える画像の一例を示す。図１３に示すのは、格闘技を題材にした遊戯内容を示すもの
である。図１３に示すように、それぞれの遊戯者は自分の操作するキャラクターと対戦す
る相手の操作するキャラクターが見える状態となる。
【０１０９】
このような構成は、対戦する遊戯者のそれぞれが異なる画像を同時に見ることができる
から可能となる顕著な特徴であるといえる。
【０１１０】
図１１や図１２に示すような構成とした場合、表示する画面を一つとすることができる
ので、構成を簡略化することができる。また異なる画面を配置する場合に比較して画面サ
イズを大きくすることができる。
【０１１１】
本実施例では二人で対戦型の遊戯を行う例を示した。しかし、教育用あるいは学習用に
この構成を利用することができる。また一つの画面でもって、異なる番組を見たりするこ
とに利用することもできる。また、公共施設等において、異なる表示を同一の画面に表示
する場合に利用することができる。
【実施例８】
【０１１２】
本実施例は、本明細書で開示する発明や実施例に利用できる画像を形成するための装置
を示す。画像を形成するための装置としては、ＣＲＴや液晶表示装置（ＬＣＤ）が一般的
である。特にＬＣＤは、小型軽量でまた薄型化することができるので、今後ますます表示
装置として利用されていくと考えられる。
【０１１３】
ＬＣＤとしては、同一のガラス基板や石英基板上にアクティブマトリクス領域と周辺駆
動回路領域とを一体化した周辺駆動回路一体型のアクティブマトリクス型の液晶表示装置
が、その小型軽量薄膜化、作製コストの低さ、といった点から有用である。
【０１１４】
ここで上記の構成をカラー表示が可能な投影型の液晶表示装置に応用する場合を考える
。カラー表示の可能な投影型の液晶表示装置においては、明るい画面を得るためにアクテ
ィブマトリクス領域をＲＧＢのそれぞれに対応させて用意することが行われる。この場合
、同一のガラス基板や石英基板上にＲＧＢのアクティブマトリクス領域とそのアクティブ
マトリクス領域を駆動するための周辺駆動回路とを集積化する必要がある。
【０１１５】
一般に一つのアクティブマトリクス領域に対して駆動回路は水平走査駆動回路と垂直走
査駆動回路とが必要とされる。従って、上記のような集積化構成を採用した場合、駆動回
路を６ヶ所の領域において形成しなければならない。
【０１１６】
周辺駆動回路は、高い集積度を有しているので、同一基板上に多数の周辺駆動回路を作
製することは、それだけ歩留りの低下を招くことになる。    
【０１１７】
そこで本実施例で示すアクティブマトリクス型の液晶パネルは、同一の基板上に複数の
アクティブマトリクス領域を配置した構成において、水平走査制御回路および／または垂
直走査制御回路を複数のアクティブマトリクス領域に対して共通に配置した構成とするこ
とを特徴とする。
【０１１８】
図１４に本実施例の集積化されたアクティブマトリクス型の液晶パネルの概略の構成を
示す。図１４に示す構成は、
ＭおよびＮを２以上の自然数として、
基板上に、
Ｍ×Ｎ個の画像を形成するためのアクティブマトリクス領域と、
Ｍ＋Ｎ個の周辺回路領域と、
が配置された構成を有し、
前記Ｍ個の周辺回路のそれぞれは、Ｎ個のアクティブマトリクス領域の水平走査制御を
同時に行い、
前記Ｎ個の周辺回路のそれぞれは、Ｍ個のアクティブマトリクス領域の垂直走査制御を
同時に行うことを特徴とする。
【０１１９】
図１４には、上記構成においてＭ＝２、Ｎ＝３の場合が示されている。図１４には、（
Ｍ＝２）×（Ｎ＝３）個配置されたアクティブマトリクス領域１０３、１０４、１０５、
１０６、１０７、１０８が示されている。
【０１２０】
また、これらアクティブマトリクス回路を駆動するための周辺回路領域として、２＋３
個の周辺回路１０１、１０２、１０９、１１０、１１１が配置されている。この周辺回路
の中で１０１と１０２が水平走査制御回路である。また１０９、１１０、１１１が垂直走
査制御回路である。
【０１２１】
図１４に示す構成においては、水平走査制御回路１０１と１０２がそれぞれアクティブ
マトリクス回路１０３と１０４と１０５、さらには１０６と１０７と１０８の水平走査制
御を同時に行う構成となっている。
【０１２２】
即ち、周辺回路１０１がアクティブマトリクス領域１０３と１０４と１０５の水平走査
制御を同時に行う構成となっている。また周辺回路１０２がアクティブマトリクス領域１
０６と１０７と１０８の水平走査制御を同時に行う構成となっている。
【０１２３】
また、周辺回路１０９と１１０と１１１がそれぞれアクティブマトリクス領域１０３と
１０６、さらには１０４と１０７、さらには１０５と１０８の垂直走査制御を同時に行う
構成となっている。
【０１２４】
即ち、周辺回路１０９がアクティブマトリクス領域１０３と１０６の垂直走査制御を同
時に行う構成となっている。また周辺回路１１０がアクティブマトリクス領域１０４と１
０７の垂直走査制御を同時に行う構成となっている。また周辺回路１１１がアクティブマ
トリクス領域１０５と１０８の垂直走査制御を同時に行う構成となっている。
【０１２５】
図１４に示す構成は、ＲＧＢのカラー画像を得るために、Ｎ＝３の構成となっている。
しかしＭ＝Ｎ＝２（即ち２×２）としてもよい。またＭ＝２、Ｎ＝１とするのでもよい。
またＭ＝１、Ｎ＝２としてもよい。この場合は、各アクティブマトリクス領域でＲＧＢの
カラーフィルタを利用してカラー像を得る構成にするか、モノクロ像を得る構成とすれば
よい。
【０１２６】
図１４に示すように一般にＭ×Ｎ個のアクティブマトクス領域はマトリクス状に配置さ
れる。
【０１２７】
また、アクティブマトリクス領域には画素がマトリクス状に配置されており、  前記画
素には、少なくとも一つの薄膜トランジスタが配置されており、
前記薄膜トランジスタのソースに加わる信号はＭ個の周辺回路のそれぞれでもって行わ
れる水平走査制御によって制御され、
前記薄膜トランジスタのゲイトに加わる信号はＮ個の周辺回路のそれぞれでもって行わ
れる垂直走査制御によって制御される。
【０１２８】
上記構成における画素としては、例えば図１４に示す(0,0),(1,0),・・・(m,0) の番地
で示される領域を挙げることができる。図１４に示す構成においては、この各画素に薄膜
トランジスタが一つづつ配置された構成となっている。
【０１２９】
なお、各画素に配置される薄膜トランジスタの数は１つのみに限定されるのではない。
その配置方法としては、複数個を直列に接続することや、ＭＯＳ容量と組み合わせて配置
するのでもよい。また、同一チャネル型の組み合わせのみではく、異なるチャネル型を組
み合わせるのでもよい。
【０１３０】
なお、図１４に示すような構成は、液晶パネルを光が透過する必要があるので、基板と
して透光性を有する材料を用いる必要がある。具体的には、ガラス基板や石英基板を利用
する必要がある。
【０１３１】
図１４に示す構成の動作例について簡単に説明する。図１４に示す構成においては、Ｃ
ＬＫＶで示される垂直走査制御回路の動作クロックによって１０９〜１１０で示される垂
直走査制御回路の動作が基本的に制御される。またＣＬＫＨで示される水平走査制御回路
の動作クロックによって、１０１と１０２で示される水平走査制御回路の動作が基本的に
制御される。
【０１３２】
以下においては、説明を簡単にするためアクティブマトリクス領域１０３における画像
の表示方法について説明する。なお、他のアクティブマトリクス領域の動作もアクティブ
マトリクス領域１０３に準ずる。
【０１３３】
まず、ＣＬＫＶ（垂直走査制御回路の動作クロック）の立ち上がりパルスが垂直走査制
御回路１０９のフリップフロップ回路２０２に入力することにより、ＶＳＴＡ（垂直走査
タイミングイネーブル信号）が打ち抜かれる。この時フリップフロップ回路２０２の出力
はＨ（論理レベルでhigh) レベルとなる。また垂直走査制御回路１０９の他のフリップフ
ロップ回路の出力レベルはＬのままとなる。
【０１３４】
この結果、Ｙ0 行で示されるゲイト信号線２１１がＨレベルとなる。そして、(0,0),(1
,0),・・・・(m,0) 番地の薄膜トランジスタが全てＯＮ動作となる。
【０１３５】
この状態において、水平走査制御回路１０１のフリップフロップ回路２０１においてＣ
ＬＫＨ（水平走査制御回路の動作クロック）によってＨＳＴＡ（水平走査タイミングイネ
ーブル信号）が打ち抜かれ、Ｘ0 の点における信号レベルがＨになる。この時、Ｘ1 以降
の点はＬ（論理レベルでLow)である。
【０１３６】
この結果、画像サンプリング信号線２０８を介してサンプリングホールド回路２０４に
Ｈの信号が入力し、Ｒの画像データ信号がサンプリングホールド回路２０４に取り込まれ
る。
【０１３７】
そして画像信号線２０９に画像データが流れる。即ち、(0,0),(0,1),(0,2) ・・・(0,n
) で示される番地の薄膜トランジスタのソースに画像データの信号が印加される。
【０１３８】
この状態においては、(0,0),(1,0),・・・・(m,0) 番地の薄膜トランジスタが全てＯＮ
状態であり、(0,0),(0,1),(0,2) ・・・(0,n) 番地の薄膜トランジスタのソースに画像デ
ータ信号が印加されている。従って、(0,0) 番地の画素において画像データの書込みが行
われる。
【０１３９】
この後次のＣＬＫＨのパルスの立ち上がりエッジによって、フリップフロップ回路２０
１の出力はＬレベルとなる。即ち、Ｘ0 の点はＬレベルとなる。一方、２０６のフリップ
フロップ回路においては、このＣＬＫＨのパルスの立ち上がりエッジが入力することで、
その出力がＨレベルに変化する。即ち、Ｘ1 の点はＨレベルとなる。
【０１４０】
この結果、(1,0) 番地において情報の書込みが行われる。このようにして、ＣＬＫＨの
動作クロックに従って、フリップフロップ回路Ｘm の出力が順次Ｈレベルにシフトしてい
く。そして、(m,0) 番地において順次画像情報の書込みが行われていく。
【０１４１】
Ｙ0 行における情報の書込みの終了後、ＣＬＫＶ信号の立ち上がりエッジによって、フ
リップフロップ回路２０２の出力レベルがＬ、フリップフロップ回路２０３の出力レベル
がＨとなる。この結果Ｙ1 行の信号レベルがＨとなる。
【０１４２】
そしてＹ1 行において、(0,1),(1,1),(2,1) ・・・(m,1) 番地に対して順次画像データ
情報が書き込まれていく。このようにして、(n,m) 番地までの情報の書込みが終了した時
点で1 フレームが終了する。
【０１４３】
以上の動作は、１０３以外の他のアクティブマトリクス領域においても同じタイミング
で行われていく。
【０１４４】
図１４に示す集積化された液晶パネルを用いると、ＲＧＢでなるカラー画像を２つ同時
に得ることができる。勿論このカラー画像はそれぞれ異なる内容のものとすることができ
る。
【０１４５】
ここでは、６つのアクティブマトリクス領域を集積化する構成を示した。しかし、集積
化されるアクティブマトリクス領域の数をさらに多くすることも可能である。例えば、Ｒ
ＧＢ、Ｒ’Ｇ’Ｂ’、Ｒ,,Ｇ,,Ｂ,,と９領域のアクティブマトリクス領域を集積化した構
成とすることができる。
【０１４６】
この場合、図１４に示す構成において、水平走査制御回路をさらに一つ増やすだけでよ
い。そしてこの場合はカラー画像を３組得ることができる。
【０１４７】
このように図１４にその基本的な構成を示す集積化されたアクティブマトリクス型の液
晶パネルは、集積化するアクティブマトリクス領域を増やしていっても、周辺駆動回路を
それ程増やす必要がないという特徴を有する。
【０１４８】
具体的には、集積化するアクティブマトリクス領域の数をＭ×Ｎ個とすると、必要とさ
れる周辺駆動回路の数はＭ＋Ｎ個でよいという特徴を有する。このことは、より集積化を
高めていった場合に非常に有用なこととなる。
【実施例９】
【０１４９】
本実施例は、図１４に示した６個のアクティブマトリクス領域を集積化した液晶パネル
を利用した投影型の液晶表示装置を示す。図１５に本実施例で示す投影型の液晶表示装置
の概要を示す。
【０１５０】
図１５に示す表示装置は、本明細書で開示する他の実施例の構成に利用することができ
る。
【０１５１】
図１５に示す構成において、第１の光源６０２からの光がミラー６０４で反射され、さ
らにダイクロイックミラー６０８、６０９、６１０でＧＢＲに対応する波長領域の光に分
光される。そして、それらの各光は図１４に示す集積化された液晶パネル６１１に入射す
る。
【０１５２】
液晶パネル６１１のＲＧＢに対応する各画素領域で光学変調された光は、ミラー６１２
にＧの像が反射され、ハーフミラー（半透過ミラー）６１３でＢの像が反射され、ハーフ
ミラー（半透過ミラー）６１４でＲの像が反射される。
【０１５３】
こうして合成されたカラー像は、光学系６１５を介し、さらにミラー６１７で反射され
スクリーン（投影面）６１８に投影される。光学系６１５には、拡大投影に必要なレンズ
が配置されている。また光学系６１５には、必要に応じて光の透過／非透過を選択的に行
う光学シャッターや所定の偏光状態を付与する手段が配置されている。
【０１５４】
一方、光源６０１からの光はミラー６０３で反射され、さらにダイクロイックミラー６
０５、６０６、６０７でそれぞれＧ’Ｂ’Ｒ’に対応する光に分光される。そして、これ
らの光は液晶パネルにおいて、Ｇ’Ｂ’Ｒ’に対応する画像に光学変調される。
【０１５５】
そして光学変調されたＲ’Ｇ’Ｂ’に対応する光（計６射線）は図示しないミラー群で
合成され、さらに光学系６１５とミラー６１６を介して投影される。投影された画像はミ
ラー６１７で反射されて、スクリーン６１８に投影される。
【０１５６】
図１５に示す構成で利用される集積化された液晶パネル６１１（図１４参照）は、異な
る２つのカラー像を形成することができる。従って、このことを利用してスクリーン６１
８に２つの異なるカラー画像を同時に投影することできる。また表示タイミングを設定す
ることによって、２つの異なるカラー画像を時分割で表示することができる。
【０１５７】
図１５に示す表示装置は、図１や図３、さらには図５や図８や図１０、さらには図１１
や図１２に示す構成における画像形成手段に利用することができる。特に得られる画像を
カラー画像とすることができる。
【０１５８】
例えば、図１４に示す集積化した液晶パネルを用いて図１や図３に示すような時分割表
示を行う場合には、図１４のアクティブマトリクス領域１０３〜１０５で例えば図２のＡ
0,Ａ1,Ａ2 ・・・で示されるフレームを形成する。また図１４のアクティブマトリクス領
域１０６〜１０８で例えば図２のＢ0,Ｂ1,Ｂ2 ・・・で示されるフレームを形成する。
【０１５９】
このようにすることは、各水平走査制御回路の動作周波数を下げることができ、回路の
信頼性を高める上で有用な構成となる。なお、上記のような時分割表示を図１４に示す構
成で行わす場合には、ＣＬＫＨとＨＳＴＡの信号の種類とその入力方法を図１４に示す場
合とは異なるものとする必要がある。即ち、水平走査制御回路１０１で行われる１フレー
ムの形成と、水平走査制御回路１０２で行われる１フレームの形成とが交互に行われるよ
うに工夫する必要がある。
【０１６０】
また、図１５に示す表示装置を図５に示すような２つの画像を合成して投影する構成に
利用する場合には、アクティブマトリクス領域１０３〜１０５で一方の画像（カラー画像
）を形成し、アクティブマトリクス領域１０６〜１０８で他方の画像（カラー画像）を形
成すればよい。そしてスクリーン６１８においてそれらの画像を合成すればよい。
【０１６１】
また図１５に示す表示装置を図８に示すレンチキュラースクリーンや図１０に示すパラ
ラックスバリアを用いた構成に利用する場合は、必要とする画像の数だけ１０３〜１０５
で示されるようなＲＧＢの像を形成するアクティブマトリクス領域を図１４に示すように
集積化し、各像を各アクティブマトリクス領域の組で形成すればよい。
【０１６２】
このような構成は、形成する像の数が増えても水平走査制御回路の負担が大きくならな
いという有意性がある。
【符号の説明】
【０１６３】
１１                        ディスプレイ
１２                        制御装置
１３、１４                  光学シャッター付き眼鏡
５０１、５０２              液晶プロジェクター
５０３、５０４              偏光板
５０５                      スクリーン
５０６、５０７              偏光眼鏡
１１０１、１１０２          観察者
１１０３                    レンチキュラーレンズ
１１０４                    液晶プロジェクター
１２０１、１２０２          観察者
１２０３、１２０４          偏光板
１２０５                    スクリーン
１２０６、１２０７          偏光板
１２０８、１２０９          液晶プロジェクター
１０１、１０２            水平走査制御回路
１０３、１０４、１０５    ＲＧＢの像を光学変調するためのアクティブマトリクス
領域（画素領域）
１０６、１０７、１０８    Ｒ’Ｇ’Ｂ’の像を光学変調するためのアクティブマト
リクス領域（画素領域）
１０９、１１０、１１１    垂直走査制御回路
２０１、２０６            水平走査制御回路のフリップフロップ回路
２０２、２０３            垂直走査制御回路のフリップフロップ回路
２０４、２０５            サンプリングホールド回路
２０７、２１１            ゲイト信号線
２０８、２１０            画像サンプリング信号線
２０９                    画像信号線
６０１、６０２            光源
６０３、６０４            ミラー
６０５、６０６、６０７    ＲＧＢの光を分光するためのダイクロイックミラー
６０８、６０９、６１０    ＲＧＢの光を分光するためのダイクロイックミラー
６１１                    液晶パネル
６１２                    ミラー
６１３、６１４            ハーフミラー
６１５、６１６            光学系
６１７                    ミラー
６１８                    スクリーン（投影面）
【図１】
2010277097.tif 000003
【図２】
2010277097.tif 000004
【図３】
2010277097.tif 000005
【図４】
2010277097.tif 000006
【図５】
2010277097.tif 000007
【図６】
2010277097.tif 000008
【図７】
2010277097.tif 000009
【図８】
2010277097.tif 000010
【図９】
2010277097.tif 000011
【図１０】
2010277097.tif 000012
【図１１】
2010277097.tif 000013
【図１２】
2010277097.tif 000014
【図１３】
2010277097.tif 000015
【図１４】
2010277097.tif 000016
【図１５】
2010277097.tif 000017